(57)【要約】      （修正有）【課題】タブレットＰＣの拡張使用を助けることができ、さらに拡張ハンドルにより、タブレットＰＣは持ち易くなり、滑り落ちて破損する恐れを払拭することができるタブレットＰＣの拡張ハンドルを提供する。【解決手段】タブレットＰＣの拡張ハンドルは、タブレットＰＣ１０、拡張ハンドル２０を備え、タブレットＰＣ１０には連接ポートを設置し、拡張ハンドル２０上には連接ポートを設置し、タブレットＰＣ１０の連接ポートと対応して接続し、タブレットＰＣ１０と拡張ハンドル２０との間の信号は相互に伝送され、しかも拡張ハンドル２０上には周辺設備拡張ポート２３を設置する。【選択図】図１
0003173131.tif 000002
【実用新案登録請求の範囲】
【請求項１】
タブレットPCの拡張ハンドルは、タブレットPC、拡張ハンドルを備え、
前記タブレットPCには、連接ポートを設置し、
前記拡張ハンドル上には、連接ポートを設置し、前記タブレットPCの連接ポートと対応して接続し、これにより前記タブレットPCと前記拡張ハンドルとの間の信号は相互に伝送され、しかも前記拡張ハンドル上には、周辺設備拡張ポートを設置するため、前記タブレットPCの拡張使用を助けることができることを特徴とするタブレットPCの拡張ハンドル。
【請求項２】
前記拡張ハンドル背面には、手で持ち易いよう溝を設置し、
前記溝内には、ボタンを設置し、前記ボタンを通して、周辺設備の作動を制御することができることを特徴とする請求項１に記載のタブレットPCの拡張ハンドル。
【請求項３】
前記拡張ハンドル内には、電池を設置し、前記拡張ハンドルに使用のための電力を供給でき、或いは前記タブレットPCのバックアップ電力として使用することもできることを特徴とする請求項１に記載のタブレットPCの拡張ハンドル。
【請求項４】
前記拡張ハンドル内には、プロセッサーを設置し、
前記プロセッサーは、前記周辺設備拡張ポートと信号連接し、これにより周辺設備の作動を制御することができることを特徴とする請求項１に記載のタブレットPCの拡張ハンドル。
【請求項５】
前記拡張ハンドルの周辺設備拡張ポートは、USB、LAN、プリントポート(Print Port)、メモリーカードリーダー、D-subコネクター(D-sub connector)、或いはデジタルビジュアルインターフェース(Digital Visual Interface)の内の任意の一種であることを特徴とする請求項１或いは４に記載のタブレットPCの拡張ハンドル。
【請求項６】
前記拡張ハンドルには、GPS、RFID、カメラ(Camera)、キーボード(Key Board)、タッチパッド(Touch Pad)、無線装置、或いはI/Oコネクターの内の任意の一種を設置し、
前記無線装置は、ブルートゥース(Bluetooth（登録商標）)、GSM（登録商標）、GPRS、PHS、WLAN、WIMAX、或いはWI-FIの内の任意の一種であることを特徴とする請求項１に記載のタブレットPCの拡張ハンドル。
【請求項７】
前記タブレットPCは、Androidシステム、iOSシステム、Web OSシステム、Black Berry Tablet OSシステム、或いはWindows（登録商標）システムなどを使用する任意のタブレット型表示装置であることを特徴とする請求項１に記載のタブレットPCの拡張ハンドル。
【請求項８】
前記拡張ハンドルの連接ポートは、USB或いは３０PinのDock底台連接ポートで、
前記USBは、プラグアンドプレイ(Plug-and-play)及びホットスワッピング(Hot Attach & Detach)を備えることを特徴とする請求項１に記載のタブレットPCの拡張ハンドル。
【請求項９】
前記拡張ハンドルはさらに、凹槽を設置し、
前記連接ポートは、前記凹槽内に設置し、これにより前記タブレットPCを前記凹槽中に嵌め入れることができることを特徴とする請求項１に記載のタブレットPCの拡張ハンドル。
【請求項１０】
前記拡張ハンドルはさらに、凸部を設置し、前記凸部上には、前記連接ポートを設置し、前記タブレットPC上にはさらに、凹部を設置し、前記凹部上には、前記連接ポートを設置し、
これにより前記タブレットPCと前記拡張ハンドルとは、凹凸により対応して接続され、前記タブレットPCと前記拡張ハンドルとの間の信号は相互に伝送されることを特徴とする請求項１に記載のタブレットPCの拡張ハンドル。
【請求項１１】
前記拡張ハンドルはさらに、ハンドルベルト、或いはバックベルトを設置し、これにより手のひら上方に嵌めて手に持っての操作を便利にでき、或いは身体に斜めに掛けて背負い、滑り落ちる恐れを払拭することができることを特徴とする請求項１に記載のタブレットPCの拡張ハンドル。
【請求項１２】
前記タブレットPCにはさらに、固定ベルト、或いは固定フレームを設置し、補助固定を提供することができることを特徴とする請求項１に記載のタブレットPCの拡張ハンドル。
【考案の詳細な説明】
【技術分野】
【０００１】
本考案はタブレットPCの拡張ハンドルに関し、特にタブレットPCと拡張ハンドルの組み合わせ設計を通して、タブレットPCの使用範囲を拡大し、しかも拡張ハンドルは、タブレットPCを持ち易くすることができ、各種形式のタブレットPC或いは類似の電子デバイスに適用することができるタブレットPCの拡張ハンドルに関する。
【背景技術】
【０００２】
テクノロジーの日進月歩で急速な発展に従い、コンピューターも迅速な発展を遂げている。コンピューターは、デスクトップコンピューター、ノート型コンピューター、シンクライアント(thin client)コンピューターなどの発展を経て、近年はコンパクトで薄い設計へと発展している。こうしてタブレットPCが開発され、各コンピューターメーカーも各種規格のタブレットPCの開発にしのぎを削っており、タブレットPCは、いまや百家争鳴の状況となっている。
【０００３】
しかし、各コンピューターメーカーが発売している各種規格のタブレットPCでは、ほとんどが、もともとデスクトップコンピューター、或いはノート型コンピューター内に設計されていた拡張ポート、或いは装置がすべて取り去られている。
これにより、タブレットPCを軽量化でき、手にとっての使用の便を図ることができ、さらにプロセッサーが処理しなければならない演算を減らすことができ、こうしてバッテリー使用時間を延長することができる。
【０００４】
けれども、それに相対し、タブレットPCの拡張性と実用性は制限されている。すなわち、タブレットPCは、ノート型コンピューター或いはデスクトップコンピューターのように便利に使用することはできない。本考案は、従来のタブレットPCの上記した欠点に鑑みてなされたものである。
【考案の概要】
【考案が解決しようとする課題】
【０００５】
本考案が解決しようとする第一の課題は、タブレットPCと拡張ハンドルの組み合わせ設計を通して、タブレットPCを拡張ハンドル内に嵌め入れ、対応させて接続することで、タブレットPCと拡張ハンドル間の信号は相互に伝送され、しかも拡張ハンドル上には周辺設備拡張ポートを設置するため、タブレットPCの拡張使用を助けることができ、全体的な実用性を拡大することができるタブレットPCの拡張ハンドルを提供することである。
本考案が解決しようとする第二の課題は、拡張ハンドルの背面に溝を設置することで、タブレットPCを持ち易くすることができ、これにより滑り落ちて破損する可能性を低下させ、こうして全体的な利便性を拡大することができるタブレットPCの拡張ハンドルを提供することである。
本考案が解決しようとする第三の課題は、拡張ハンドル内にはプロセッサーを設置し、プロセッサーは周辺設備拡張ポートと信号連接し、これにより周辺設備の作動を制御でき、こうして全体的な運用性能を拡大することができるタブレットPCの拡張ハンドルを提供することである。
【課題を解決するための手段】
【０００６】
上記課題を解決するため、本考案は下記のタブレットPCの拡張ハンドルを提供する。
タブレットPCの拡張ハンドルは、タブレットPC、拡張ハンドルを備え、
該タブレットPCには、連接ポートを設置し、
該拡張ハンドル上には、連接ポートを設置し、該タブレットPCの連接ポートと対応して接続し、これにより該タブレットPCと該拡張ハンドルとの間の信号は相互に伝送され、しかも該拡張ハンドル上には、周辺設備拡張ポートを設置するため、該タブレットPCの拡張使用を助けることができ、
さらに拡張ハンドル２０により、タブレットPC１０は持ち易くなり、滑り落ちて破損する恐れを払拭することができる。
【考案の効果】
【０００７】
本考案のタブレットPCの拡張ハンドルは、タブレットPCと拡張ハンドルの組み合わせ設計を通して、タブレットPCの使用範囲を拡大し、しかも拡張ハンドルは、タブレットPCを持ち易くすることができ、各種形式のタブレットPC或いは類似の電子デバイスに適用することができる。
【図面の簡単な説明】
【０００８】
【図１】本考案実施例の外観模式図である。
【図２】本考案実施例の部品分解模式図である。
【図３】本考案実施例拡張ハンドルの模式図である。
【図４】本考案実施例の組合せ側辺模式図である。
【図５】本考案実施例の組合せ背面模式図である。
【図６】本考案実施例の構造ブロックチャートである。
【考案を実施するための形態】
【０００９】
以下に図面を参照しながら本考案を実施するための最良の形態について詳細に説明する。
【実施例】
【００１０】
本考案実施例の模式図である図１〜６に示すように、本考案タブレットPCの拡張ハンドルは、タブレットPC１０、拡張ハンドル２０を備える。タブレットPC１０には、連接ポート１１を設置する。拡張ハンドル２０上には、連接ポート２２を設置し、タブレットPC１０の連接ポート１１と対応して接続する。これにより、タブレットPC１０と拡張ハンドル２０との間の信号は相互に伝送される。しかも、拡張ハンドル２０上には、周辺設備拡張ポート２３を設置するため、タブレットPC１０の拡張使用を助けることができる。
【００１１】
拡張ハンドル２０背面には、手で持ち易いよう溝２４を設置する。溝２４内には、ボタン２４１を設置する。ボタン２４１を通して、周辺設備の作動を制御することができる。拡張ハンドル２０内には、電池２５を設置し、拡張ハンドル２０に使用のための電力を供給でき、或いはタブレットPC１０のバックアップ電力として使用することもできる。しかも、拡張ハンドル２０内には、プロセッサー２６を設置する。プロセッサー２６は、周辺設備拡張ポート２３と信号連接し、これにより周辺設備の作動を制御することができる。拡張ハンドル２０の周辺設備拡張ポート２３は、USB２３１、LAN２３２、プリントポート(Print Port)、メモリーカードリーダー２３３、D-subコネクター(D-sub connector)、或いはデジタルビジュアルインターフェース(Digital Visual Interface)の内の任意の一種である。さらに、拡張ハンドル２０には、GPS２０１、RFID２０２、カメラ(Camera)２０３、キーボード(Key Board)２０４、タッチパッド(Touch Pad)２０５、無線装置２０６、或いはI/Oコネクター２０７の内の任意の一種を設置する。無線装置２０６は、ブルートゥース(Bluetooth（登録商標）)、GSM（登録商標）、GPRS、PHS、WLAN、WIMAX、或いはWI-FIの内の任意の一種である。タブレットPC１０は、Androidシステム、iOSシステム、Web OSシステム、Black Berry Tablet OSシステム、或いはWindows（登録商標）システムなどを使用する任意のタブレット型表示装置である。拡張ハンドル２０の連接ポート２２は、USB或いは３０PinのDock底台連接ポートである。USBは、プラグアンドプレイ(Plug-and-play)及びホットスワッピング(Hot Attach & Detach)を備える。拡張ハンドル２０はさらに、凹槽２１を設置する。連接ポート２２は、凹槽２１内に設置し、これによりタブレットPC１０を凹槽２１中に嵌め入れることができる。或いは、拡張ハンドル２０はさらに、凸部を設置する。凸部上には、連接ポート２２を設置する。別に、タブレットPC１０上にはさらに、凹部を設置する。凹部上には、連接ポート１０を設置する。これにより、タブレットPC１０と拡張ハンドル２０とは、凹凸により対応して接続され、タブレットPC１０と拡張ハンドル２０との間の信号は相互に伝送される。
拡張ハンドル２０はさらに、ハンドルベルト、或いはバックベルトを設置する。これにより、手のひら上方に嵌めて手に持っての操作を便利にでき、或いは身体に斜めに掛けて背負い、滑り落ちる恐れを払拭することができる。或いは、タブレットPC１０にはさらに、固定ベルト、或いは固定フレームを設置し、補助固定を提供することができる。
【００１２】
本考案実施例の模式図である図１〜６に示すように、本考案のタブレットPC１０の拡張ハンドル２０の好ましい実施方式は、タブレットPC１０と拡張ハンドル２０を組み合わせる(図１参照)。タブレットPC１０は、Androidシステム、iOSシステム、Web OSシステム、Black Berry Tablet OSシステム、或いはWindows（登録商標）システムなどを使用する任意のタブレット型表示装置で、アップル社製のiPad及びiPad２、或いはHTC社製のFlyer、或いはサムスン社製のGALAXY Tab、或いはAcer社製のICONIA、或いはASUS社製のEee Pad、或いは台湾モバイル社製のmyPadなどさまざまなサイズのタブレットPC１０である。しかも、タブレットPC１０上のスクリーンは、キャパシタ式タッチパネル、或いは電気抵抗式タッチパネルを採用する。キャパシタ式タッチパネルは、指によりタッチして操作する。電気抵抗式タッチパネルはさらに、タッチ操作用ペンを設置し、これによりスクリーン上でタッチ操作を行う。さらに、タブレットPC１０上には、連接ポート１１を設置する。連接ポート１１は、接続コードにより、デスクトップコンピューター或いはノート型コンピューターと接続することができる。これにより、ファイルをダウンロードし、或いはアプリケーションプログラム(APP)をアップグレードし、電源に接続して電力を補充することができる。拡張ハンドル２０上には、凹槽２１を設置する。
これにより、タブレットPC１０は、拡張ハンドル２０の凹槽２１中に嵌めて入れることができる。しかも、拡張ハンドル２０の凹槽２１内には、連接ポート２２を設置(図３参照)し、こうしてタブレットPC１０の連接ポート１１と凹槽２１内の連接ポート２２とは対応して接続する(図４参照)。別種の実施形態では、拡張ハンドル２０にはさらに、凸部を設置する。凸部上には、連接ポート２２を設置する。タブレットPC１０上にはさらに、凹部を設置する。
凹部上には、連接ポート１１を設置する。こうして、タブレットPC１０と拡張ハンドル２０とは、凹凸により対応して接続される(図示なし)。これにより、タブレットPC１０と拡張ハンドル２０との間の信号は、相互に伝送される。拡張ハンドル２０の連接ポート２２は、USB或いは３０PinのDock底台連接ポートである。しかも、USBは、プラグアンドプレイ(Plug-and-play)及びホットスワッピング(Hot Attach & Detach)の機能を備え、これによりタブレットPC１０は、迅速に抜き差しが可能な利便性を備える。拡張ハンドル２０背面には、溝２４を設置する(図５参照)。これにより、滑り止め機能を備え、手で持ち易くし、こうしてタブレットPC１０を落として破損させてしまう恐れを低下させることができる。しかも、溝２４内には、ボタン２４１を設置する。ボタン２４１を通して、周辺設備の作動とオン/オフを操作することができ、拡張ハンドル２０を通しての操作と使用を便利にすることができる。
拡張ハンドル２０側辺には、周辺設備拡張ポート２３を設置する(図４参照)。周辺設備拡張ポート２３は、USB２３１、LAN２３２、プリントポート(Print Port)、メモリーカードリーダー２３３、D-subコネクター(D-sub connector)、或いはデジタルビジュアルインターフェース(Digital Visual Interface)の内の任意の一種である。メモリーカードリーダー２３３は、SDカード、CFカード、MSカードなど様々な規格のカードを読み取ることができるインターフェースである。よって、周辺設備は、拡張ハンドル２０の周辺設備拡張ポート２３を通して、タブレットPC１０との間で相互に信号を伝送することができる。これにより、拡張ハンドル２０を通して、タブレットPC１０の周辺設備使用を助けることができる。拡張ハンドル２０はさらに、ハンドルベルト、或いはバックベルトを設置する。これにより、手のひら上方に嵌めて手に持っての操作を便利にでき、或いは身体に斜めに掛けて背負い、滑り落ちる恐れを払拭することができる。
或いは、タブレットPC１０にはさらに、固定ベルト、或いは固定フレームを設置し、補助固定を提供することができる(図示なし)。
【００１３】
拡張ハンドル２０内には、プロセッサー２６を設置する(図６参照)。プロセッサー２６は、周辺設備拡張ポート２３と信号連接し、周辺設備の作動を制御することができる。しかも、拡張ハンドル２０内には、電池２５を設置し、拡張ハンドル２０に使用のための電力を供給でき、或いはタブレットPC１０のバックアップ電力として使用することもできる。さらに、拡張ハンドル２０には、GPS２０１、RFID２０２、カメラ(Camera)２０３、キーボード(Key Board)２０４、タッチパッド(Touch Pad)２０５、無線装置２０６、或いはI/Oコネクター２０７の内の任意の一種を設置する。上記した装置はすべて、プロセッサー２６と連接し、信号を伝送でき、作動を制御することができる。無線装置２０６は、ブルートゥース(Bluetooth（登録商標）)、GSM（登録商標）、GPRS、PHS、WLAN、WIMAX、或いはWI-FIの内の任意の一種で、これにより拡張ハンドル２０はより多くの拡張性能を備え、タブレットPC１０に充実した応用機能を発揮させることができる。
【符号の説明】
【００１４】
１０    タブレットPC
１１    連接ポート
２０    拡張ハンドル
２０１  GPS
２０２  RFID
２０３  カメラ(Camera)
２０４  キーボード(Key Board)
２０５  タッチパッド(Touch Pad)
２０６  無線装置
２０７  I/Oコネクター
２１    凹槽
２２    連接ポート
２３    周辺設備拡張ポート
２３１  USB
２３２  LAN
２３３  メモリーカードリーダー
２４    溝
２４１  ボタン
２５    電池
２６    プロセッサー
【図１】
0003173131.tif 000003
【図２】
0003173131.tif 000004
【図３】
0003173131.tif 000005
【図４】
0003173131.tif 000006
【図５】
0003173131.tif 000007
【図６】
0003173131.tif 000008